(57)【要約】【課題】  トラバースシャーシの昇降によってたるみが発生し、不具合を来すことがあった。【解決手段】  ケーブル８０はカムスライダ４０の側から連結部３５の側に引き回され、同連結部３５の下を通過してケーブル支持部３５ａにて係止されつつ折り返し、トラバースシャーシ２０の前方側でターンテーブル２３と光ピックアップユニット２４の側に結線されて、くの字状に折り返されており、レバーシフト３０の回動に伴って屈曲部を支点として折り返される角度が変化する。トラバースシャーシ２０の傾斜角度によってターンテーブル２３と光ピックアップユニット２４の側に結線位置と、連結部３５までの間の距離は僅かに変化するものの、この変化量は非常に少ない。すなわち、レバーシフト３０が回動する際に、ケーブル８０に生じる撓みの量は殆ど変化しない。【選択図】  図１
2011154756.tif 000002
【特許請求の範囲】
【請求項１】
上面が開口する薄箱形のローダーシャーシと、
概略矩形枠状に形成され、上記ローダーシャーシに収容され、同ローダーシャーシにおける一の辺の側の一端にて、他端を上下に揺動可能なようにダンパを介して回動可能に支持されるトラバースシャーシと、
同トラバースシャーシにおける上記一端と他端との間のほぼ中程にて、同トラバースシャーシの両側で上記ローダーシャーシにて一端を枢動可能に支持され、他端では、上記トラバースシャーシの上記他端をダンパを介して載置し、かつ、先端の辺にはカム機構を構成するレバーシフトと、
上記ローダーシャーシに対してスライド可能に支持されると共に、上記レバーシフトと係合して上記カム機構を構成するカムスライダと、
上記トラバースシャーシにて支持されて光ディスクを駆動させるターンテーブルと、
上記トラバースシャーシにて支持されて光ディスクの径方向に駆動可能であるとともに同光ディスクを読み取る光ピックアップユニットと、
上記ターンテーブルと光ピックアップユニットを外部基板に対して結線するケーブルと、
上記カムスライダを往復動動作させるチャッキング駆動機構と、
上記チャッキング駆動機構による上記カムスライダの往復動動作により、上記レバーシフトは鉛直方向に上下動し、上記トラバースシャーシにおける上記一端を回動軸として、他端を水平状態のチャッキング状態と、これよりも下がった斜めの傾斜状態の開放状態との間で往復動動作させる光ディスクドライブ装置であって、
上記ローダーシャーシにて一端を枢動可能に支持される上記レバーシフトは、同ローダーシャーシにおける底近辺の両側にて回動可能に支持されており、かつ、ローダーシャーシに接続される部位間を連結する連結部を有し、かつ、連結部の中程には上記ケーブルを保持するケーブル係止部を形成されており、
上記ケーブルは、上記カムスライダの側から上記連結部の側に向けて引き回され、同連結部の下を通過して上記ケーブル係止部にて係止しつつ折り返され、上記ターンテーブルと光ピックアップユニットの側に結線されていることを特徴とする光ディスクドライブ装置。
【請求項２】
上記ケーブルは、フラットであり、上記ケーブル係止部は、上記連結部の上面で概ね上記ケーブルの幅だけ隔てて立設されるとともに、先端側を互いに近づく側に向けて突き出るようにして幅を狭めて形成されていることを特徴とする請求項１に記載の光ディスクドライブ装置。
【請求項３】
光ディスクを載置して上記ローダーシャーシにおける光ディスク読み取り位置と、光ディスク排出位置との間で往復動可能な光ディスクトレイと、
同光ディスクトレイを往復動させるトレイ駆動機構とを有することを特徴とする請求項１または請求項２に記載の光ディスクドライブ装置。
【請求項４】
上面が開口する薄箱形のローダーシャーシと、
概略矩形枠状に形成され、上記ローダーシャーシに収容され、同ローダーシャーシにおける一の辺の側の一端にて、他端を上下に揺動可能なようにダンパを介して回動可能に支持されるトラバースシャーシと、
同トラバースシャーシにおける上記一端と他端との間のほぼ中程にて、同トラバースシャーシの両側で上記ローダーシャーシにて一端を枢動可能に支持され、他端では、上記トラバースシャーシの上記他端をダンパを介して載置し、かつ、先端の辺にはカム機構を構成するレバーシフトと、
上記ローダーシャーシに対してスライド可能に支持されると共に、上記レバーシフトと係合して上記カム機構を構成するカムスライダと、
上記トラバースシャーシにて支持されて光ディスクを駆動させるターンテーブルと、
上記トラバースシャーシにて支持されて光ディスクの径方向に駆動可能であるとともに同光ディスクを読み取る光ピックアップユニットと、
上記ターンテーブルと光ピックアップユニットを外部基板に対して結線するケーブルと、
上記カムスライダを往復動動作させるチャッキング駆動機構と、
光ディスクを載置して上記ローダーシャーシにおける光ディスク読み取り位置と、光ディスク排出位置との間で往復動可能な光ディスクトレイと、
同光ディスクトレイを往復動させるトレイ駆動機構とを有し、
上記チャッキング駆動機構による上記カムスライダの往復動動作により、上記レバーシフトは鉛直方向に上下動し、上記トラバースシャーシにおける上記一端を回動軸として、他端を水平状態のチャッキング状態と、これよりも下がった斜めの傾斜状態の開放状態との間で往復動動作させる光ディスクドライブ装置であって、
上記ローダーシャーシにて一端を枢動可能に支持される上記レバーシフトは、同ローダーシャーシにおける底近辺の両側にて回動可能に支持されており、かつ、ローダーシャーシに接続される部位間を連結する連結部を有し、かつ、連結部の中程には上記ケーブルを保持するケーブル係止部を形成されており、
上記ケーブルは、上記カムスライダの側から上記連結部の側に向けて引き回され、同連結部の下を通過して上記ケーブル係止部にて係止しつつ折り返され、上記ターンテーブルと光ピックアップユニットの側に結線され、
また、上記ケーブルは、フラットであり、上記ケーブル係止部は、上記連結部の上面で概ね上記ケーブルの幅だけ隔てて立設されるとともに、先端側を互いに近づく側に向けて突き出るようにして幅を狭めて形成されていることを特徴とする光ディスクドライブ装置。
【発明の詳細な説明】
【技術分野】
【０００１】
本発明は、平板状記録担体である光ディスクを用いる光ディスクドライブ装置に関し、特に、トラバースシャーシを備えてケーブルにて電気的結線を行う光ディスクドライブ装置に関する。
【背景技術】
【０００２】
上下昇降動作するトラバースシャーシを備える光ディスクドライブ装置では、同トラバースシャーシ上のモーターや光ピックアップからメイン基板や中継基板に結線するためにケーブルが必要となり、この種のケーブルとしてフレキシブルフラットケーブルなどが利用されていることが多い。
従来、この種のケーブルを使用してワイヤリングする光ディスクドライブ装置として、以下の技術が知られている。
【０００３】
特許文献１には、光ピックアップに接続したフレキシブルフラットケーブルの耐久性を向上させることを目的として、フレキシブルフラットケーブルの一端部が制御基板に接続されるとともに、フレキシブルフラットケーブルの他端部を上方にガイドしてその他端部の円弧状折り返し部分の曲率半径を大きくするためのガイド部材３０がローダーシャーシの底板部に一体形成されているディスク装置の構成が開示されている。
【０００４】
特許文献２には、トラバースシャーシの中継配線基板などからメインシャーシの側方へ引き出したフレキシブルフラットケーブルの横行部がメイン配線基板側にねじれたり撓んだりしないようにすることを目的として、メインシャーシ側壁１ｄに沿わせた横方向に引き回し、メインシャーシ側壁１ｄの上部に形成された係合部１ｆと側壁１ｄの外面との間の隙間に、フレキシブルフラットケーブル６の横行部６ｃの上部を嵌め込んで係合部１ｅに係合させた光ディスク装置の構成が開示されている。
【０００５】
特許文献３には、コネクターの近傍でターンキャリッジ側のフレームに一端が固定されケーブルとほぼ平行に延在するようケーブル押さえを設け、ターンキャリッジ回転の際のケーブルの曲げ変位を阻止するようにしたディスクプレーヤの構成が開示されている。
【先行技術文献】
【特許文献】
【０００６】
【特許文献１】特開２００９−２１７８９２号公報
【特許文献２】特開２００９−９３６９２号公報
【特許文献３】実開平６−１１１９４号公報
【発明の概要】
【発明が解決しようとする課題】
【０００７】
上述した従来の技術は、いずれもフレキシブルフラットケーブルが比較的広い範囲で撓み動作を行うことを前提としている。
しかし、トラバースシャーシの昇降によってたるみが発生する以上、たるみを吸収できるスペースが必要である。また、たるみが吸収しきれない場合には、トラバースの昇降動作に支障を来たすことがあるし、上述したスペースの無さからフレキシブルフラットケーブルに折り曲げ癖が付いて寿命に影響を与えることなどがあった。
【０００８】
本発明は、トラバースシャーシ上のモーターなどの配線における昇降動作時のワイヤリング長のたるみ量変化を少なくして、昇降動作によるワイヤリングたるみから来る不具合を無くすことを目的とする。
【課題を解決するための手段】
【０００９】
本発明は、上面が開口する薄箱形のローダーシャーシと、概略矩形枠状に形成され、上記ローダーシャーシに収容され、同ローダーシャーシにおける一の辺の側の一端にて、他端を上下に揺動可能なようにダンパを介して回動可能に支持されるトラバースシャーシと、同トラバースシャーシにおける上記一端と他端との間のほぼ中程にて、同トラバースシャーシの両側で上記ローダーシャーシにて一端を枢動可能に支持され、他端では、上記トラバースシャーシの上記他端をダンパを介して載置し、かつ、先端の辺にはカム機構を構成するレバーシフトと、上記ローダーシャーシに対してスライド可能に支持されると共に、上記レバーシフトと係合して上記カム機構を構成するカムスライダと、上記トラバースシャーシにて支持されて光ディスクを駆動させるターンテーブルと、上記トラバースシャーシにて支持されて光ディスクの径方向に駆動可能であるとともに同光ディスクを読み取る光ピックアップユニットと、上記ターンテーブルと光ピックアップユニットを外部基板に対して結線するケーブルと、上記カムスライダを往復動動作させるチャッキング駆動機構と、上記チャッキング駆動機構による上記カムスライダの往復動動作により、上記レバーシフトは鉛直方向に上下動し、上記トラバースシャーシにおける上記一端を回動軸として、他端を水平状態のチャッキング状態と、これよりも下がった斜めの傾斜状態の開放状態との間で往復動動作させる光ディスクドライブ装置であって、上記ローダーシャーシにて一端を枢動可能に支持される上記レバーシフトは、同ローダーシャーシにおける底近辺の両側にて回動可能に支持されており、かつ、ローダーシャーシに接続される部位間を連結する連結部を有し、かつ、連結部の中程には上記ケーブルを保持するケーブル係止部を形成されており、上記ケーブルは、上記カムスライダの側から上記連結部の側に向けて引き回され、同連結部の下を通過して上記ケーブル係止部にて係止しつつ折り返され、上記ターンテーブルと光ピックアップユニットの側に結線されている構成としてある。
【００１０】
上記構成において、上面が開口する薄箱形のローダーシャーシには、概略矩形枠状に形成されたトラバースシャーシが収容される。トラバースシャーシはローダーシャーシにおける一の辺の側が回動動作の軸となり、他端が上下に揺動可能なように支持される。揺動可能に支持するため、レバーシフトは同トラバースシャーシにおけるほぼ中程にて上記ローダーシャーシにて一端を回転可能に支持されており、他端はトラバースシャーシを載置している。レバーシフトの先端の辺はカムスライダとともにカム機構を構成しており、チャッキング駆動機構によるカムスライダの往復動作によってレバーシフトの先端が上下動すると、一端をこのレバーシフトに載置されているトラバースシャーシは、一端を回動軸として、他端側が水平状態のチャッキング状態と、これよりも下がった斜めの傾斜状態の開放状態との間で往復動動作することになる。なお、トラバースシャーシはダンパを介してローダーシャーシとレバーシフトに支持されている。
【００１１】
上記トラバースシャーシは、光ディスクを駆動させるターンテーブルと光ピックアップユニットとを支持しており、これらのターンテーブルと光ピックアップユニットを外部基板に対して結線するためにケーブルが使用されている。
ここで、上記ローダーシャーシにて一端を枢動可能に支持される上記レバーシフトは、上記ローダーシャーシに接続される部位間を連結部にて連結されているが、同ローダーシャーシにおける底近辺の両側にて回動可能に支持されている。従って、上述した動作でトラバースシャーシが揺動動作して下がってきても、ローダーシャーシの底近辺に位置しているので、連結部とトラバースシャーシは衝突しない。
【００１２】
また、上記ケーブルは上記カムスライダの側から上記連結部の側に向けて引き回され、同連結部の下を通過して連結部の中程に形成したケーブル係止部にて係止しつつ折り返され、上記ターンテーブルと光ピックアップユニットの側に結線されている。
レバーシフトの連結部はトラバースシャーシにおける長さ方向のほぼ中程に位置しており、レバーシフトの先端側が揺動動作して同トラバースシャーシの先端を上下に昇降動作させている。この昇降動作に伴ってケーブルの一端はトラバースシャーシに追随して移動することになるが、この移動はレバーシフトの移動に概ね一致する。すなわち、ケーブルはレバーシフトの回転軸を経由してレバーシフトとほぼ同様に移動するので、移動にあたって殆どたるみが生じない。
【００１３】
また、上記ケーブルは、フラットであり、上記ケーブル係止部は、上記連結部の上面で概ね上記ケーブルの幅だけ隔てて立設されるとともに、先端側を互いに近づく側に向けて突き出るようにして幅を狭めて形成されるようにしてもよい。
このように構成した場合、上記ケーブル係止部は上記連結部の上面で概ね上記ケーブルの幅だけ隔てて立設されるとともに、先端側を互いに近づく側に向けて突き出るようにして幅を狭めて形成されており、フラットなケーブルを撓めた状態でケーブル係止部の間に挿入すると、ケーブルは再度元の幅に戻るが、この状態ではケーブル係止部の間から抜け出ず、保持されることになる。
【００１４】
光ディスクをチャッキングするためにローダーシャーシを駆動させるが、光ディスクを所定位置に運び込む構成は様々なものを採用可能である。その一例として、光ディスクを載置して上記ローダーシャーシにおける光ディスク読み取り位置と、光ディスク排出位置との間で往復動可能な光ディスクトレイと、同光ディスクトレイを往復動させるトレイ駆動機構とを有する構成としても良い。
このように構成すると、トレイ駆動機構にて光ディスクトレイを往復動させると、同光ディスクトレイは、光ディスクを載置した状態で、上記ローダーシャーシにおける光ディスク読み取り位置と、光ディスク排出位置との間で往復動する。
【００１５】
この他、上記の統合として、上面が開口する薄箱形のローダーシャーシと、概略矩形枠状に形成され、上記ローダーシャーシに収容され、同ローダーシャーシにおける一の辺の側の一端にて、他端を上下に揺動可能なようにダンパを介して回動可能に支持されるトラバースシャーシと、同トラバースシャーシにおける上記一端と他端との間のほぼ中程にて、同トラバースシャーシの両側で上記ローダーシャーシにて一端を枢動可能に支持され、他端では、上記トラバースシャーシの上記他端をダンパを介して載置し、かつ、先端の辺にはカム機構を構成するレバーシフトと、上記ローダーシャーシに対してスライド可能に支持されると共に、上記レバーシフト係合して上記カム機構を構成するカムスライダと、上記トラバースシャーシにて支持されて光ディスクを駆動させるターンテーブルと、上記トラバースシャーシにて支持されて光ディスクの径方向に駆動可能であるとともに同光ディスクを読み取る光ピックアップユニットと、上記ターンテーブルと光ピックアップユニットを外部基板に対して結線するケーブルと、上記カムスライダを往復動動作させるチャッキング駆動機構と、光ディスクを載置して上記ローダーシャーシにおける光ディスク読み取り位置と、光ディスク排出位置との間で往復動可能な光ディスクトレイと、同光ディスクトレイを往復動させるトレイ駆動機構とを有し、上記チャッキング駆動機構による上記カムスライダの往復動動作により、上記レバーシフトは鉛直方向に上下動し、上記トラバースシャーシにおける上記一端を回動軸として、他端を水平状態のチャッキング状態と、これよりも下がった斜めの傾斜状態の開放状態との間で往復動動作させる光ディスクドライブ装置であって、上記ローダーシャーシにて一端を枢動可能に支持される上記レバーシフトは、同ローダーシャーシにおける底近辺の両側にて回動可能に支持されており、かつ、ローダーシャーシに接続される部位間を連結する連結部を有し、かつ、連結部の中程には上記ケーブルを保持するケーブル係止部を形成されており、上記ケーブルは、上記カムスライダの側から上記連結部の側に向けて引き回され、上記ケーブル係止部にて係止しつつ折り返され、上記ターンテーブルと光ピックアップユニットの側に結線され、また、上記ケーブルは、フラットであり、上記ケーブル係止部は、上記連結部の上面で概ね上記ケーブルの幅だけ隔てて立設されるとともに、先端側を互いに近づく側に向けて突き出るようにして幅を狭めて形成されるように構成しても良い。
【発明の効果】
【００１６】
本発明によれば、ローダーの昇降機構の部品上の昇降動作時回転中心付近を経由させることにより、部品から直にＰＣＢなどへフレキシブルフラットケーブル、リード線などのワイヤリングを行う場合に比べてトラバース昇降によるワイヤーのたるみ量を少なくすることができ、昇降動作によるワイヤリングのたるみが減少し、断線やワイヤリングが行き場を無くして突っかかってしまうなど動作に支障を来す不具合を無くすことができる。
【図面の簡単な説明】
【００１７】
【図１】光ディスクドライブ装置の概略構成および配置を示す概略分解斜視図である。
【図２】レバーシフトの拡大図である。
【図３】トラバースシャーシがチャッキング状態の位置にあるときの側面図である。
【図４】トラバースシャーシが開放状態の位置にあるときの側面図である。
【発明を実施するための形態】
【００１８】
以下、図面にもとづいて本発明の実施形態を説明する。
図１は、本発明の一実施形態にかかる光ディスクドライブ装置の概略構成および配置を分解斜視図により示している。
同図において、便宜上、図面の下方左側を前方、下方右側を右側、上方右側を後方、上方左側を左側と呼ぶことにする。なお、図面の上方は上方、図面の下方は下方と呼ぶ。
【００１９】
ローダーシャーシ１０は上面が開口する薄箱形の形状となっている。トラバースシャーシ２０は、概略矩形枠状に形成され、このローダーシャーシ１０に収容され、後方側をローダーシャーシ１０に支持され、前方側をレバーシフト３０にて支持されている。すなわち、トラバースシャーシ２０は、ローダーシャーシ１０における一の辺の側の一端にて、他端を上下に揺動可能なようにダンパ２１を介して回動可能に支持されている。
【００２０】
レバーシフト３０はローダーシャーシ１０の中程にて回動可能に支持され、前方側でトラバースシャーシ２０を載置している。言い換えると、レバーシフト３０の一端は、同トラバースシャーシ２０における上記一端と他端との間のほぼ中程にて、同トラバースシャーシ２０における底近辺の両側の内壁面に対して回転可能に支持されている。一端を回転可能に支持されているので、レバーシフト３０の他端は枢動可能となっている。この他端は、トラバースシャーシ２０の上記他端をダンパ２２を介して載置している。レバーシフト３０は所定角度範囲内で枢動可能となり、トラバースシャーシ２０の上記他端を上下動動作させる。このとき、トラバースシャーシ２０はダンパ２１を介してローダーシャーシ１０に支持され、ダンパ２２を介してレバーシフト３０にて支持されているので、同ダンパ２１，２２の弾性によって回動動作がスムーズに行われる。むろん、ダンパ２１，２２の本来の作用として光ディスクの回転駆動時の振動を外部に伝えないようにしたり、外部からの振動がトラバースシャーシ２０に伝わらないようにする。
【００２１】
レバーシフト３０の先端の辺は、ローダーシャーシ１０内で左右方向にスライド可能に支持されたカムスライダ４０と係合してカム機構を構成しており、カムスライダ４０の往復動作によってレバーシフト３０の前端が上下駆動される。このカムスライダ４０を往復動作させるためのチャッキング駆動機構５０が備えられており、チャッキング駆動機構５０によるカムスライダ４０の往復動動作により、レバーシフト３０の先端の辺は鉛直方向に上下動し、トラバースシャーシ２０における上記一端を回動軸として、他端を水平状態のチャッキング状態と、これよりも下がった斜めの傾斜状態の開放状態との間で往復動動作させる。
【００２２】
また、光ディスクトレイ６０は、ローダーシャーシ１０に対して平行にスライドして往復動可能に支持されており、トレイ駆動機構７０にて往復駆動されている。光ディスクトレイ６０は、トレイ駆動機構７０にて駆動され、光ディスクを載置して上記ローダーシャーシ１０における光ディスク読み取り位置と、光ディスク排出位置との間で往復動する。
【００２３】
トラバースシャーシ２０には、光ディスクを駆動させるターンテーブル２３と、光ディスクの径方向に駆動可能であるとともに同光ディスクを読み取る光ピックアップユニット２４が備えられている。
これらのターンテーブル２３と光ピックアップユニット２４を外部基板に対して結線するため、ケーブル８０が備えられている。ケーブル８０は、フレキシブルフラットケーブルからなり、所定の幅を有し、弾性を備えているので、比較的容易に撓むことができるようになっている。
【００２４】
図２は、レバーシフトを拡大図により示している。
従来は、レバーシフトはローダーシャーシ１０における開口側の両側にて回動可能に支持されていた。しかしながら、本発明では、ローダーシャーシ１０にて一端を枢動可能に支持されるレバーシフト３０は、同ローダーシャーシ１０における底近辺の両側にて回動可能に支持されている。
開口付近に回動軸があった従来のものでは、両側のレバーシフト３０の間にトラバースシャーシ２０が位置していた。従って、他端側は連結されているものの、回動軸の部分では連結させておらず、概略コの字形状となっていた。
【００２５】
これに対して、本実施形態のように、開口近辺から底近辺に回動軸を移動させることにより、レバーシフト３０の回動軸部分の間にトラバースシャーシ２０が位置しなくなった。そして、この間に連結部３５を形成して連結することができるようになった。すなわち、レバーシフト３０におけるローダーシャーシ１０に接続される部位間を連結部３５が連結している。
【００２６】
この連結により、レバーシフト３０の剛性は高まり、かつ、レバーシフト３０がローダーシャーシ１０の内部で突っ張ることにより、当該ローダーシャーシ１０及び光ディスクドライブ装置自体の剛性も高まっている。
さらに、この連結部３５の中程にはケーブル係止部３５ａを形成してあり、上記ケーブル８０を保持できるようになっている。より具体的には、ケーブル係止部３５ａは一対の部材からなり、連結部３５上で概ねケーブル８０の幅だけ隔てて立設されるとともに、先端側を互いに近づく側に向けて突き出るようにして幅を狭めて形成されている。従って、フレキシブルフラットケーブルからなり可撓性を有するケーブル８０を幅方向に押さえて撓ませることにより、ケーブル係止部３５ａの間に挿入する。ケーブル８０を押さえていた力を抜けば同ケーブル８０は元に戻るが、このように形状が復帰することでケーブル係止部３５ａから抜けなくなり、保持される。なお、ケーブル係止部３５ａをこの位置に形成できるのも、連結部３５が形成されているからであり、この連結部３５を形成できるのは、レバーシフト３０をローダーシャーシ１０の底近辺の両側で回動可能に支持するようにしたためである。
【００２７】
このケーブル８０は、カムスライダ４０の側から連結部３５の側に向けて引き回されてきており、連結部３５の下を通って折り返され、ケーブル係止部３５ａにて係止され、ターンテーブル２３と光ピックアップユニット２４の側に結線されている。なお、図示していないが、ターンテーブル２３と光ピックアップユニット２４はトラバースシャーシ２０にて支持される中継基板を介してケーブル８０に結線されている。
【００２８】
上記構成において、チャッキング駆動機構５０によってカムスライダ４０を往復動動作させると、カム機構を介してレバーシフト３０の前端が上下に昇降動作する。ここで、図３はトラバースシャーシがチャッキング状態の位置にある状態を側面図により示しており、図４は開放状態の位置にある状態を側面図により示している。
本実施形態では、ケーブル８０はカムスライダ４０の側から連結部３５の側に引き回され、同連結部３５の下を通過してケーブル係止部３５ａにて係止されつつ折り返し、トラバースシャーシ２０の前方側でターンテーブル２３と光ピックアップユニット２４の側に結線されている。すなわち、くの字状に折り返され、レバーシフト３０の回動に伴って屈曲部を支点として折り返される角度が変化する。むろん、トラバースシャーシ２０の傾斜角度によってターンテーブル２３と光ピックアップユニット２４の側に結線位置と、連結部３５までの間の距離は僅かに変化するものの、この変化量は非常に少ない。言い換えると、レバーシフト３０が回動する際に、ケーブル８０に生じる撓みの量は殆ど変化しない。
【００２９】
従来は、このたわみ量の変化によって様々な障害を来していたが、本実施形態のように形成することで、たわみ量事態が変化しなくなったので、従来のような障害が起きなくすることができる。
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３０】
１０…ローダーシャーシ、２０…トラバースシャーシ、２１，２２…ダンパ、２３…ターンテーブル、２４…光ピックアップユニット、３０…レバーシフト、３５…連結部、３５ａ…ケーブル係止部、４０…カムスライダ、５０…チャッキング駆動機構、６０…光ディスクトレイ、７０…トレイ駆動機構、８０…ケーブル。
【図１】
2011154756.tif 000003
【図２】
2011154756.tif 000004
【図３】
2011154756.tif 000005
【図４】
2011154756.tif 000006